(57)【要約】【課題】画像データと非画像データとの比較を容易にすること。【解決手段】実施形態の医用情報処理システムは、記憶部と、取得部と、抽出部と、表示制御部とを備える。記憶部は、医用情報を示す画像データと、医用情報を示すデータのうち前記画像データ以外のデータである非画像データとを時間に対応付けて記憶する。取得部は、時系列表示された前記非画像データに対する操作を受け付けて、当該操作に対応する時間範囲を取得する。抽出部は、前記時間範囲に応じた画像データを前記記憶部から抽出する。表示制御部は、前記抽出部が抽出した画像データを表示する。【選択図】図１
2019040367.tif 000002
【特許請求の範囲】
【請求項１】
医用情報を示す画像データと、医用情報を示すデータのうち前記画像データ以外のデータである非画像データとを時間に対応付けて記憶する記憶部と、
時系列表示された前記非画像データに対する操作を受け付けて、当該操作に対応する時間範囲を取得する取得部と、
前記時間範囲に応じた画像データを前記記憶部から抽出する抽出部と、
前記抽出部が抽出した画像データを表示する表示制御部と、
を備える、医用情報処理システム。
【請求項２】
前記抽出部は、前記時間範囲に応じた画像データとして、前記時間範囲に応じた２つ以上の比較対象の画像データを抽出する、請求項１に記載の医用情報処理システム。
【請求項３】
前記記憶部は、複数の種類の画像データを記憶し、
前記抽出部は、前記時間範囲に応じた画像データとして、画像データの種類ごとに、前記時間範囲に応じた２つ以上の比較対象の画像データを抽出する、請求項１に記載の医用情報処理システム。
【請求項４】
前記記憶部は、複数の種類の画像データを記憶し、
前記抽出部は、前記時間範囲に応じた画像データとして、選択された種類の画像データであって前記時間範囲に応じた２つ以上の比較対象の画像データを抽出する、請求項１に記載の医用情報処理システム。
【請求項５】
前記抽出部は、前記比較対象の画像データとして、前記時間範囲に含まれる画像データのうち最初の画像データと最後の画像データとを抽出する、請求項２乃至４のいずれか一項に記載の医用情報処理システム。
【請求項６】
前記表示制御部は、前記非画像データとして、処方記録、バイタルデータ、検体検査データ、画像の計測データ、検査レポート及び看護記録の少なくとも一つを時系列表示する、請求項１乃至５のいずれか一項に記載の医用情報処理システム。
【請求項７】
前記表示制御部は、前記処方記録として、選択された患者に対する、選択された薬剤の投与量を時系列表示する、請求項６に記載の医用情報処理システム。
【請求項８】
前記取得部は、前記操作として、第１の時間及び第２の時間を決定する決定操作を受け付けて、前記第１の時間から前記第２の時間までの時間を前記時間範囲として取得する、請求項１乃至７のいずれか一項に記載の医用情報処理システム。
【請求項９】
前記取得部は、前記操作として、第１の時間を決定する決定操作を受け付けて、前記第１の時間から、逐一変更される第２の時間までの時間を、前記時間範囲として逐一取得し、
前記抽出部は、前記取得部が前記時間範囲を新たに取得するごとに、新たな前記時間範囲に応じた画像データを抽出し、
前記表示制御部は、前記抽出部が画像データを抽出するごとに、新たに抽出された画像データを表示する、請求項１乃至７のいずれか一項に記載の医用情報処理システム。
【請求項１０】
前記表示制御部は、更に、前記時間範囲を表示する、請求項１乃至９のいずれか一項に記載の医用情報処理システム。
【請求項１１】
前記表示制御部は、更に、前記記憶部に記憶された画像データをサムネイル表示すると共に、当該画像データの各々に対応する時間を示したバーを表示する、請求項１乃至９のいずれか一項に記載の医用情報処理システム。
【請求項１２】
前記表示制御部は、更に、前記バーにおいて前記時間範囲を表示する、請求項１１に記載の医用情報処理システム。
【請求項１３】
前記抽出部は、前記時間範囲に応じた画像データとして、医用画像データ及びレポートの少なくとも一方を抽出する、請求項１乃至１２のいずれか一項に記載の医用情報処理システム。
【請求項１４】
医用情報を示す画像データと、医用情報を示すデータのうち前記画像データ以外のデータである非画像データとを時間に対応付けて記憶する記憶部と、
時系列表示された前記画像データに対する操作を受け付けて、当該操作に対応する時間範囲を取得する取得部と、
前記非画像データと前記時間範囲とを対応付けて時系列表示する表示制御部と、
を備える、医用情報処理システム。
【請求項１５】
前記取得部は、前記操作として、時系列表示された前記画像データの中から第１の画像データ及び第２の画像データを選択する選択操作を受け付けて、前記第１の画像データに対応する時間から前記第２の画像データに対応する時間までの間を前記時間範囲として取得する、請求項１４に記載の医用情報処理システム。
【請求項１６】
前記表示制御部は、前記非画像データとして、処方記録、バイタルデータ、検体検査データ、画像の計測データ、検査レポート及び看護記録の少なくとも一つを時系列表示し、時系列表示した前記非画像データに対応付けて前記時間範囲を表示する、請求項１４又は１５に記載の医用情報処理システム。
【請求項１７】
前記表示制御部は、前記処方記録として、選択された患者に対する、選択された薬剤の投与量を時系列表示し、時系列表示した投与量に対応付けて前記時間範囲を表示する、請求項１６に記載の医用情報処理システム。
【請求項１８】
前記表示制御部は、前記画像データとして、医用画像データ及びレポートの少なくとも一方を時系列表示する、請求項１４乃至１７のいずれか一項に記載の医用情報処理システム。
【発明の詳細な説明】
【技術分野】
【０００１】
本発明の実施形態は、医用情報処理システムに関する。
【背景技術】
【０００２】
医師は、医用情報を示す種々のデータを総合的に用いて診断及び治療を行う。例えば、医師は、医用情報を示す画像データ（超音波画像データやＸ線画像データ、読影レポート等）と、画像データ以外のデータ（処方記録やバイタルデータ等）とを比較しながら、診断及び治療を行う。例えば、心不全の治療において、医師は、患者の心臓について収集した超音波画像データに基づいて、心不全の状態（例えば、急性心不全であるか慢性心不全であるかなど）を把握し、処方記録と心不全の状態とに応じて、薬の種類や投与量を調整する。
【０００３】
ここで、画像データと処方記録とを時系列的に表示する方法（時系列表示）が知られている。しかしながら、画像データを時系列的に表示する場合、個々の画像データはサムネイル等によって縮小表示せざるを得ないため、単に時系列表示するのみでは、画像データの観察をすることが困難であり、画像データと処方記録との時系列的な比較を行なうためには手間を要していた。例えば、投薬の効果を画像データによって確認したいと考えた場合、医師や看護師は、投薬開始時の画像データと、投薬終了時の画像データとを自ら検索する必要があった。
【先行技術文献】
【特許文献】
【０００４】
【特許文献１】特開２０１６−１６２１３１号公報
【特許文献２】特開２０１３−２２８９６８号公報
【発明の概要】
【発明が解決しようとする課題】
【０００５】
本発明が解決しようとする課題は、画像データと非画像データとの比較を容易にすることである。
【課題を解決するための手段】
【０００６】
実施形態の医用情報処理システムは、記憶部と、取得部と、抽出部と、表示制御部とを備える。記憶部は、医用情報を示す画像データと、医用情報を示すデータのうち前記画像データ以外のデータである非画像データとを時間に対応付けて記憶する。取得部は、時系列表示された前記非画像データに対する操作を受け付けて、当該操作に対応する時間範囲を取得する。抽出部は、前記時間範囲に応じた画像データを前記記憶部から抽出する。表示制御部は、前記抽出部が抽出した画像データを表示する。
【図面の簡単な説明】
【０００７】
【図１】図１は、第１の実施形態に係る医用情報処理システムの構成の一例を示すブロック図である。
【図２Ａ】図２Ａは、第１の実施形態に係る処方記録の一例を示す図である。
【図２Ｂ】図２Ｂは、第１の実施形態に係る処方記録の時系列表示について説明するための図である。
【図２Ｃ】図２Ｃは、第１の実施形態に係る処方記録の時系列表示について説明するための図である。
【図２Ｄ】図２Ｄは、第１の実施形態に係る処方記録の時系列表示の一例を示す図である。
【図３】図３は、第１の実施形態に係る時間範囲の一例を示す図である。
【図４Ａ】図４Ａは、第１の実施形態に係る時間範囲の取得について説明するための図である。
【図４Ｂ】図４Ｂは、第１の実施形態に係る時間範囲の取得について説明するための図である。
【図４Ｃ】図４Ｃは、第１の実施形態に係る時間範囲の取得について説明するための図である。
【図４Ｄ】図４Ｄは、第１の実施形態に係る時間範囲の取得について説明するための図である。
【図５】図５は、第１の実施形態に係る医用画像データの抽出について説明するための図である。
【図６】図６は、第１の実施形態に係る医用画像データの表示について説明するための図である。
【図７】図７は、第１の実施形態に係る医用画像データの抽出について説明するための図である。
【図８】図８は、第１の実施形態に係る医用画像データの表示について説明するための図である。
【図９】図９は、第１の実施形態に係る医用情報処理システムの処理の一連の流れを説明するためのフローチャートである。
【図１０】図１０は、第１の実施形態に係る処方記録の時系列表示の一例を示す図である。
【図１１】図１１は、第１の実施形態に係る時間範囲の取得について説明するための図である。
【図１２】図１２は、第２の実施形態に係る医用画像データの時系列表示について説明するための図である。
【図１３Ａ】図１３Ａは、第２の実施形態に係る時間範囲の取得について説明するための図である。
【図１３Ｂ】図１３Ｂは、第２の実施形態に係る時間範囲の表示について説明するための図である。
【図１４】図１４は、第２の実施形態に係る時間範囲の表示について説明するための図である。
【図１５】図１５は、第２の実施形態に係る医用情報処理システムの処理の一連の流れを説明するためのフローチャートである。
【図１６】図１６は、第３の実施形態に係るレポートの表示について説明するための図である。
【発明を実施するための形態】
【０００８】
以下、図面を参照しながら、医用情報処理システムの実施形態について詳細に説明する。
【０００９】
（第１の実施形態）
図１は、第１の実施形態に係る医用情報処理システム１の構成の一例を示すブロック図である。図１に示すように、医用情報処理システム１は、医用情報処理装置１００と、ネットワーク２００と、ＰＡＣＳ（Picture  Archiving  and  Communication  System）サーバ３００と、電子カルテ保管装置４００と、検体検査サーバ５００と、端末装置６００とを含む。
【００１０】
図１に示すように、医用情報処理装置１００は、ネットワーク２００を介して、ＰＡＣＳサーバ３００、電子カルテ保管装置４００、検体検査サーバ５００及び端末装置６００と通信可能に接続される。例えば、医用情報処理装置１００、ＰＡＣＳサーバ３００、電子カルテ保管装置４００及び検体検査サーバ５００は、病院内に設置され、院内ＬＡＮ等のネットワーク２００によって相互に接続される。また、例えば、端末装置６００は、パーソナルコンピュータや、医師や看護師等の操作者によって持ち運び可能なタブレット等であり、医用情報処理装置１００、ＰＡＣＳサーバ３００、電子カルテ保管装置４００及び検体検査サーバ５００と、ネットワーク２００を介して通信可能に接続される。
【００１１】
ＰＡＣＳサーバ３００は、図示しない医用画像診断装置によって収集された医用画像データ等、種々の画像データを記憶する装置である。例えば、ＰＡＣＳサーバ３００は、図示しないＸ線診断装置によって収集されたＸ線画像データを受信して、Ｘ線画像データが収集された時間及び患者ＩＤと対応付けてＸ線画像データを記憶する。また、例えば、ＰＡＣＳサーバ３００は、図示しない超音波診断装置によって収集された超音波画像データを受信して、超音波画像データが収集された時間及び患者ＩＤと対応付けて超音波画像データを記憶する。
【００１２】
例えば、ＰＡＣＳサーバ３００は、医用画像データを、ＤＩＣＯＭ（Digital  Imaging  and  Communications  in  Medicine）形式で記憶する。この場合、ＰＡＣＳサーバ３００は、例えば、収集された各医用画像データにおけるＤＩＣＯＭのタグ「(0008,0022)  Acquisition  Date」に医用画像データが収集された日付を記録し、タグ「(0008,0032)  Acquisition  Time」に医用画像データが収集された時刻を記録し、タグ「(0010,0020)  Patient  ID」に患者ＩＤを記録する。
【００１３】
なお、ＰＡＣＳサーバ３００は、医用画像データを、静止画として記憶することもできるし、動画として記憶することもできる。一例を挙げると、ＰＡＣＳサーバ３００は、医用画像データを、ＪＰＥＧ形式、ＰＮＧ形式、ＢＭＰ形式などの静止画データとして記憶する。また、一例を挙げると、ＰＡＣＳサーバ３００は、医用画像データを、ＭＰ４形式、ＭＯＶ形式、ＭＰＥＧ形式などの動画データとして記憶する。
【００１４】
また、ＰＡＣＳサーバ３００は、各種のレポートを記憶する。例えば、ＰＡＣＳサーバ３００は、医用画像データの読影レポートや看護師が作成する看護レポート、検査レポート等を、レポートの作成時間及び患者ＩＤと対応付けて、画像データとして記憶する。ここで、検査レポートとしては、患者から収集した検体（血液等）に関する検体レポート、患者における細菌に関する細菌レポート、患者の生理的情報に関する生理レポート等が挙げられる。例えば、ＰＡＣＳサーバ３００は、レポートを、ＰＤＦ形式、ＪＰＥＧ形式などにより、画像データとして記憶する。
【００１５】
例えば、ＰＡＣＳサーバ３００は、病院にＰＡＣＳが導入されている場合に、ＰＡＣＳにおける画像サーバとして病院内に設置される。例えば、ＰＡＣＳサーバ３００は、ＤＢ（Database）サーバ等のコンピュータ機器によって実現され、ＲＡＭ（Random  Access  Memory）、フラッシュメモリ等の半導体メモリ素子や、ハードディスク、光ディスク等の記憶回路に画像データを記憶させる。なお、ＰＡＣＳサーバ３００は、記憶部の一例である。また、ＰＡＣＳサーバ３００が記憶する医用画像データ及びレポートは、医用情報を示す画像データの一例である。
【００１６】
電子カルテ保管装置４００は、病院内で行われた各種の診療に関する診療データを記憶する装置である。例えば、電子カルテ保管装置４００は、患者について計測された脈拍数や心拍数、呼吸数、血圧、体温、経皮的動脈血酸素飽和度（ＳｐＯ２）等のデータ（バイタルデータ）を、計測された時間及び患者ＩＤと対応付けて記憶する。また、例えば、電子カルテ保管装置４００は、患者への処方記録を、投薬時間及び患者ＩＤと対応付けて記憶する。
【００１７】
例えば、電子カルテ保管装置４００は、病院において導入されている電子カルテシステムの一部として設置され、電子カルテシステムによって生成された診療データを記憶する。例えば、電子カルテ保管装置４００は、ＤＢサーバ等のコンピュータ機器によって実現され、ＲＡＭ、フラッシュメモリ等の半導体メモリ素子や、ハードディスク、光ディスク等の記憶回路に診療データを記憶させる。なお、電子カルテ保管装置４００は、記憶部の一例である。また、電子カルテ保管装置４００が記憶する診療データは、医用情報を示すデータのうち画像データ以外のデータ（非画像データ）の一例である。
【００１８】
検体検査サーバ５００は、患者から収集した検体の検査データを記憶する装置である。例えば、検体検査サーバ５００は、患者から収集した血液についての検査データ（例えば、血球数やイオン濃度など）を、時間に対応付けて記憶する。一例を挙げると、検体検査サーバ５００は、検査データを、患者から検体を採取した時間や検査データの測定を行った時間、及び、患者ＩＤと対応付けて記憶する。
【００１９】
例えば、検体検査サーバ５００は、病院において導入されている検体検査システムの一部として設置され、検体検査システムにおける検査データを記憶する。例えば、検体検査サーバ５００は、ＤＢサーバ等のコンピュータ機器によって実現され、ＲＡＭ、フラッシュメモリ等の半導体メモリ素子や、ハードディスク、光ディスク等の記憶回路に検査データを記憶させる。なお、検体検査サーバ５００は、記憶部の一例である。また、検体検査サーバ５００が記憶する検査データは、非画像データの一例である。
【００２０】
なお、画像データの一例として、医用画像データ及びレポートについて説明したが、実施形態はこれに限定されるものではない。例えば、心電図は、心臓の電気的活動の記録であり、数値を非画像データとして記憶する場合のみならず、グラフを画像データとして記憶する場合もある。また、非画像データの一例として、診療データ及び検査データについて説明したが、実施形態はこれに限定されるものではない。例えば、非画像データには、診療データ及び検査データの他、患者から収集された画像の計測データ（血管径、血流量等）が含まれる。
【００２１】
医用情報処理装置１００は、ネットワーク２００を介して、画像データ及び非画像データを取得し、取得した画像データ及び非画像データを用いて各種情報処理を行う。例えば、医用情報処理装置１００は、ワークステーション等のコンピュータ機器によって実現される。
【００２２】
なお、以下では、一例として、医用情報処理装置１００が、画像データとして医用画像データを取得する場合について説明する。また、以下では、一例として、医用情報処理装置１００が、非画像データとして処方記録を取得する場合について説明する。
【００２３】
図１に示すように、医用情報処理装置１００は、Ｉ／Ｆ（インターフェース）回路１１０と、記憶回路１２０と、処理回路１３０とを有する。
【００２４】
Ｉ／Ｆ回路１１０は、処理回路１３０に接続され、医用情報処理装置１００の外部装置（ＰＡＣＳサーバ３００や電子カルテ保管装置４００、検体検査サーバ５００、端末装置６００等）との間で行われる各種データの伝送及び通信を制御する。例えば、Ｉ／Ｆ回路１１０は、ＰＡＣＳサーバ３００から医用画像データを受信し、受信した医用画像データを処理回路１３０に出力する。また、例えば、Ｉ／Ｆ回路１１０は、電子カルテ保管装置４００から処方記録を受信し、受信した処方記録を処理回路１３０に出力する。Ｉ／Ｆ回路１１０は、例えば、ネットワークカードやネットワークアダプタ、ＮＩＣ（Network  Interface  Controller）等によって実現される。
【００２５】
記憶回路１２０は、処理回路１３０に接続され、各種データを記憶する。例えば、記憶回路１２０は、ＰＡＣＳサーバ３００から受信した医用画像データや、電子カルテ保管装置４００から受信した処方記録を記憶する。記憶回路１２０は、例えば、ＲＡＭ（Random  Access  Memory）、フラッシュメモリ等の半導体メモリ素子や、ハードディスク、光ディスク等によって実現される。
【００２６】
処理回路１３０は、制御機能１３１、表示制御機能１３２、取得機能１３３及び抽出機能１３４を実行することで、医用情報処理装置１００による処理の全体を制御する。例えば、処理回路１３０は、プロセッサによって実現される。
【００２７】
例えば、処理回路１３０は、制御機能１３１に対応するプログラムを記憶回路１２０から読み出して実行することにより、Ｉ／Ｆ回路１１０から出力される医用画像データ及び処方記録を記憶回路１２０に記憶させる。また、例えば、処理回路１３０は、表示制御機能１３２に対応するプログラムを記憶回路１２０から読み出して実行することによって表示制御を行なう。例えば、表示制御機能１３２は、記憶回路１２０に記憶された処方記録を読み出して、端末装置６００のディスプレイ６２０において時系列表示する。また、例えば、処理回路１３０は、表示制御機能１３２、取得機能１３３及び抽出機能１３４に対応するプログラムを記憶回路１２０から読み出して実行することにより、時系列表示された処方記録に対する操作に対応する時間範囲を取得し、時間範囲に応じた医用画像データをディスプレイ６２０において表示する。なお、時間範囲の取得、及び、時間範囲に応じた医用画像データの表示については後述する。
【００２８】
なお、表示制御機能１３２は、表示制御部の一例である。また、取得機能１３３は、取得部の一例である。また、抽出機能１３４は、抽出部の一例である。
【００２９】
端末装置６００は、図１に示すように、入力回路６１０及びディスプレイ６２０を有する。入力回路６１０は、操作者から受け付けた入力操作を電気信号に変換して医用情報処理装置１００に出力する。例えば、入力回路６１０は、トラックボール、スイッチボタン、マウス、キーボード、タッチパネル等によって実現される。
【００３０】
ディスプレイ６２０は、医用情報処理装置１００から出力される各種のデータを表示する。例えば、ディスプレイ６２０は、液晶モニタやＣＲＴ（Cathode  Ray  Tube）モニタ、タッチパネル等によって実現される。なお、入力回路６１０とディスプレイ６２０とは統合してもよい。例えば、入力回路６１０及びディスプレイ６２０は、タッチパネルによって実現される。
【００３１】
以上、第１の実施形態に係る医用情報処理システム１の全体構成について説明した。このような構成のもと、第１の実施形態に係る医用情報処理システム１は、画像データと非画像データとの比較を容易にする。具体的には、医用情報処理システム１は、以下で詳細に説明する処理回路１３０の処理によって、時系列表示した非画像データに対する操作に対応する時間範囲を取得し、時間範囲に応じた画像データを表示することで、画像データと非画像データとの比較を容易にする。以下、第１の実施形態に係る医用情報処理システム１の処理について詳細に説明する。
【００３２】
まず、表示制御機能１３２は、処方記録を時系列表示する。例えば、まず、Ｉ／Ｆ回路１１０は、電子カルテ保管装置４００から処方記録を受信し、受信した処方記録を処理回路１３０に出力する。次に、制御機能１３１は、Ｉ／Ｆ回路１１０から出力された処方記録を記憶回路１２０に記憶させる。そして、表示制御機能１３２は、処方記録を記憶回路１２０から読み出して、ディスプレイ６２０において時系列表示する。
【００３３】
ここで、電子カルテ保管装置４００が記憶する処方記録の一例について、図２Ａを用いて説明する。図２Ａは、第１の実施形態に係る処方記録の一例を示す図である。
【００３４】
例えば、電子カルテ保管装置４００は、図２Ａに示すように、処方記録として、「患者ＩＤ」、「薬剤ＩＤ」、「投薬開始日」、「投薬終了日」及び「投与量」の各項目を対応付けて記憶する。ここで、「患者ＩＤ」は、投薬の対象となった患者を識別するための情報である。また、「薬剤ＩＤ」とは、投薬された薬剤の種類を識別するための情報である。また、「投薬開始日」は、投薬を開始した日付である。また、「投薬終了日」は、投薬を終了した日付である。なお、投薬が継続されている場合、「投薬終了日」は、現在の日付を意味することとしてもよい。また、「投与量」は、投薬した薬剤の総量である。
【００３５】
例えば、電子カルテ保管装置４００は、投薬を行った医師や看護師等から、処方記録として、「患者ＩＤ」、「薬剤ＩＤ」、「投薬開始日」、「投薬終了日」及び「投与量」の各項目の入力を受け付けて記憶する。また、電子カルテ保管装置４００は、入力された処方記録を、入力時間に対応付けて記憶することもできる。
【００３６】
具体的には、電子カルテ保管装置４００は、図２Ａに示すように、「2017/06/10」から「2017/06/11」までの間に、患者Ｐ１に対して薬剤Ｍ１１を「100mL」投与したことを処方記録として記憶する。また、電子カルテ保管装置４００は、「2017/06/10」に、患者Ｐ１に対して薬剤Ｍ１３を「50mL」投与したことを処方記録として記憶する。また、電子カルテ保管装置４００は、「2017/06/10」から「2017/06/21」までの間に、患者Ｐ１に対して薬剤Ｍ１４を「500mL」投与したことを処方記録として記憶する。また、電子カルテ保管装置４００は、「2017/06/10」から「2017/06/21」までの間に、患者Ｐ１に対して薬剤Ｍ１５を「500mL」投与したことを処方記録として記憶する。また、電子カルテ保管装置４００は、「2017/06/10」に、患者Ｐ１に対して薬剤Ｍ１７を「50mL」投与したことを処方記録として記憶する。
【００３７】
また、電子カルテ保管装置４００は、「2017/04/13」から「2017/04/16」までの間に、患者Ｐ２に対して薬剤Ｍ１１を「500mL」投与したことを処方記録として記憶する。また、電子カルテ保管装置４００は、「2017/04/14」から「2017/04/17」までの間に、患者Ｐ２に対して薬剤Ｍ１３を「200mL」投与したことを処方記録として記憶する。また、電子カルテ保管装置４００は、「2017/05/12」から「2017/05/19」までの間に、患者Ｐ３に対して薬剤Ｍ１２を「500mL」投与したことを処方記録として記憶する。
【００３８】
なお、図２Ａにおいては、「投薬開始日」及び「投薬終了日」のみを示すが、電子カルテ保管装置４００は、より詳細な時間に対応付けて処方記録を記憶してもよい。例えば、電子カルテ保管装置４００は、一回の投薬を単位として、投薬の対象となった患者の患者ＩＤと、投薬された薬剤の薬剤ＩＤと、投薬が行われた日付及び時刻と、投与量とを、対応付けて記憶することとしてもよい。
【００３９】
Ｉ／Ｆ回路１１０は、電子カルテ保管装置４００から処方記録を受信し、受信した処方記録を処理回路１３０に出力する。次に、制御機能１３１は、Ｉ／Ｆ回路１１０から出力された処方記録を記憶回路１２０に記憶させる。ここで、記憶回路１２０は、電子カルテ保管装置４００と同様に、処方記録を時間に対応付けて記憶する。そして、表示制御機能１３２は、処方記録を記憶回路１２０から読み出して、ディスプレイ６２０において時系列表示する。
【００４０】
例えば、表示制御機能１３２は、まず、入力回路６１０を介して、操作者から、患者及び薬剤を選択する選択操作を受け付ける。以下では、患者として患者Ｐ１が選択され、薬剤として薬剤Ｍ１４が選択された場合を例として説明する。次に、表示制御機能１３２は、患者Ｐ１に対する薬剤Ｍ１４の投与量を時系列表示する。一例を挙げると、表示制御機能１３２は、横軸を時間とし、縦軸を投与量とするグラフ上に、患者Ｐ１に対する薬剤Ｍ１４の投与量をプロットしたグラフの表示を行なう。
【００４１】
具体的には、表示制御機能１３２は、まず、患者Ｐ１に対する薬剤Ｍ１４の投薬開始日及び投薬終了日に応じて、時間軸（Ｘ軸）を設定する。例えば、表示制御機能１３２は、図２Ｂの座標―時間変換テーブルに示すように、表示画面における座標（Ｘ座標）の各々と、時間との対応関係を設定する。また、表示制御機能１３２は、表示する薬剤の種類等に応じて、投与量を示す軸（Ｙ軸）を設定する。例えば、表示制御機能１３２は、図２Ｃの座標―投与量変換テーブルに示すように、表示する薬剤の種類（薬剤ＩＤ）と、表示画面における座標（Ｙ座標）の各々と、投与量との対応関係を設定する。なお、図２Ｂ及び図２Ｃは、第１の実施形態に係る処方記録の時系列表示について説明するための図である。
【００４２】
そして、表示制御機能１３２は、患者Ｐ１に対して薬剤Ｍ１４が投薬された時間及びその投与量を、図２Ｂに示したＸ座標及び図２Ｃに示したＹ座標に従ってプロットすることで、図２Ｄに示すように、患者Ｐ１に対する薬剤Ｍ１４の投与量を時系列表示する。なお、図２Ｄは、第１の実施形態に係る処方記録の時系列表示の一例を示す図である。
【００４３】
図２Ｄに示す棒グラフは、患者Ｐ１に対する薬剤Ｍ１４の投薬開始日である「2017/06/10」から、投薬終了日である「2017/06/21」までの間の薬剤Ｍ１４の投与量を時系列表示するものである。図２Ｄの棒グラフに示すように、患者Ｐ１に対する薬剤Ｍ１４の投与量は、「2017/06/10」においては少量であり、その後次第に増加して「2017/06/14」に最大量となっている。更に、「2017/06/15」から「2017/06/17」までの間は投与量が最大量で維持され、その後次第に減少している。なお、図２Ｄの棒グラフが示す面積は、「2017/06/10」から「2017/06/21」までの間の投与量の総量「500mL」を示す。
【００４４】
なお、表示制御機能１３２は、図２Ｄに示すように、薬剤Ｍ１１、薬剤Ｍ１２、薬剤Ｍ１３、薬剤Ｍ１５、薬剤Ｍ１６、薬剤Ｍ１７、薬剤Ｍ１８及び薬剤Ｍ１９の投与量についても時系列表示を行なうこととしてもよい。ここで、図２Ｄに示す点（丸の図形）は、患者Ｐ１に対して薬剤Ｍ１１を、「2017/06/10」に１回投与し、「2017/06/11」に３回投与したことを示す。また、図２Ｄに示す点は、患者Ｐ１に対して薬剤Ｍ１３及び薬剤Ｍ１７を、「2017/06/10」にそれぞれ１回ずつ投与したことを示す。また、図２Ｄに示す点は、患者Ｐ１に対して薬剤Ｍ１５を、「2017/06/10」に１回投与し、「2017/06/11」に２回投与し、「2017/06/12」に２回投与し、「2017/06/13」に２回投与し、「2017/06/14」に２回投与し、「2017/06/17」に２回投与し、「2017/06/18」に２回投与し、「2017/06/19」に２回投与し、「2017/06/20」に２回投与したことを示す。ここで、図２Ｄに示す点を結ぶ線は、投薬開始時から投薬終了時までの期間を示す。なお、表示制御機能１３２は、図２Ｄにおいて、薬剤Ｍ１１、薬剤Ｍ１２、薬剤Ｍ１３、薬剤Ｍ１５、薬剤Ｍ１６、薬剤Ｍ１７、薬剤Ｍ１８及び薬剤Ｍ１９の投与量についての表示を行わないこととしてもよい。また、表示制御機能１３２は、薬剤Ｍ１１、薬剤Ｍ１２、薬剤Ｍ１３、薬剤Ｍ１５、薬剤Ｍ１６、薬剤Ｍ１７、薬剤Ｍ１８及び薬剤Ｍ１９のいずれかが選択された場合、新たに選択された薬剤の投与量を棒グラフにより時系列表示してもよい。
【００４５】
図２Ｄに示したように、表示制御機能１３２が処方記録を時系列表示した後、取得機能１３３は、時系列表示された処方記録に対する操作を受け付けて、時間範囲を取得する。
例えば、取得機能１３３は、図３に示すように、開始時間Ｔ１１及び終了時間Ｔ２１を決定する決定操作を操作者から受け付けて、開始時間Ｔ１１及び終了時間Ｔ２１までの時間を時間範囲として取得する。なお、図３は、第１の実施形態に係る時間範囲の一例を示す図である。また、開始時間Ｔ１１は第１の時間とも記載する。また、終了時間Ｔ２１は第２の時間とも記載する。
【００４６】
以下、時間範囲の取得について、図４Ａ、図４Ｂ、図４Ｃ及び図４Ｄを用いて、より詳細に説明する。図４Ａ、図４Ｂ、図４Ｃ及び図４Ｄは、第１の実施形態に係る時間範囲の取得について説明するための図である。
【００４７】
まず、操作者は、入力回路６１０におけるマウスを操作して、座標（1.874,3.001）においてドラッグを開始する。ここで、図４Ａは、図２Ｄ及び図３に示した棒グラフ上に、操作者がマウスを介して操作可能なアイコン（矢印）を示したものである。この場合、取得機能１３３は、ドラッグ開始位置の座標（1.874,3.001）から抽出したＸ座標（1.874）と、操作内容「ドラッグ開始」とを取得する。次に、操作者は、入力回路６１０におけるマウスを操作して、座標（5.222,2.998）においてドロップ（ドラッグを終了）する。この場合、取得機能１３３は、ドロップ位置の座標（5.222,2.998）から抽出したＸ座標（5.222）と、操作内容「ドロップ」とを取得する。即ち、取得機能１３３は、図４Ｂに示すように、Ｘ座標と操作内容との対応関係を取得する。
【００４８】
次に、取得機能１３３は、図２Ｂの座標―時間変換テーブルに基づいて、取得したＸ座標を時間に変換する。例えば、取得機能１３３は、ドラッグが開始されたＸ座標（1.874）を、時間「2017/06/12    22:15:33」に変換する。また、例えば、取得機能１３３は、ドロップされたＸ座標（5.222）を、時間「2017/06/16    06:24:15」に変換する。
【００４９】
次に、取得機能１３３は、図４Ｃに示す対応関係に基づいて、操作内容を表示意味に変換する。ここで、図４Ｃは、操作内容と表示意味との対応関係を定めた操作内容―表示意味変換テーブルである。具体的には、図４Ｃに示す操作内容―表示意味変換テーブルは、操作内容「ドラッグ開始」は表示意味「開始時間」に対応し、操作内容「ドロップ」は表示意味「終了時間」に対応することを定めるものである。例えば、取得機能１３３は、図４Ｃに示す操作内容―表示意味変換テーブルを記憶回路１２０から読み出して、操作内容「ドラッグ開始」を表示意味「開始時間」に変換し、操作内容「ドロップ」を表示意味「終了時間」に変換する。そして、取得機能１３３は、図４Ｄに示すように、時間範囲として、開始時間Ｔ１１である時間「2017/06/12    22:15:33」と、終了時間Ｔ２１である時間「2017/06/16    06:24:15」とを取得する。
【００５０】
なお、取得機能１３３は、上述したマウス操作以外にも、時系列表示された処方記録における２点を指定する種々の操作に基づいて、時間範囲を取得することができる。即ち、取得機能１３３は、第１の時間及び第２の時間を決定する決定操作として、時系列表示された処方記録における２点を指定する操作を操作者から受け付けて、指定された２点のＸ座標をそれぞれ時間に変換することにより、時間範囲を取得することができる。ここで、時系列表示された処方記録における２点を指定する操作としては、マウスにおけるドラッグ＆ドロップ操作や２回のクリック操作、タッチパネルにおけるスワイプ操作や２回のタップ操作などが挙げられる。
【００５１】
取得機能１３３が時間範囲を取得した後、抽出機能１３４は、時間範囲に応じた医用画像データをＰＡＣＳサーバ３００から抽出する。例えば、抽出機能１３４は、まず、ＰＡＣＳサーバ３００が記憶する患者Ｐ１の医用画像データを抽出する。一例を挙げると、抽出機能１３４は、ＰＡＣＳサーバ３００が記憶する各医用画像データにおけるＤＩＣＯＭのタグ「(0010,0020)  Patient  ID」を参照することで、患者Ｐ１の医用画像データを抽出する。
【００５２】
以下では、図示しないＣＴ（Computed  Tomography）画像データＩ３１及びＣＴ画像データＩ３２と、図５に示す超音波画像データＩ１１、超音波画像データＩ１２、Ｘ線画像データＩ２１、超音波画像データＩ１３、Ｘ線画像データＩ２２及び超音波画像データＩ１４とが、患者Ｐ１の医用画像データとして抽出された場合について説明する。なお、図５は、第１の実施形態に係る医用画像データの抽出について説明するための図である。
【００５３】
次に、抽出機能１３４は、患者Ｐ１の医用画像データの中から、時間範囲に応じた医用画像データを抽出する。例えば、抽出機能１３４は、時間範囲に応じた医用画像データとして、時間範囲に応じた２つ以上の比較対象の医用画像データを抽出する。一例を挙げると、抽出機能１３４は、時間範囲に応じた２つ以上の比較対象の医用画像データとして、時間範囲に含まれる医用画像データのうち最初の医用画像データと最後の医用画像データとを抽出する。別の一例を挙げると、抽出機能１３４は、時間範囲に応じた２つ以上の比較対象の医用画像データとして、開始時間に最も近い時間に収集された医用画像データと、終了時間に最も近い時間に収集された医用画像データとを抽出する。
【００５４】
以下では一例として、抽出機能１３４が、時間範囲に応じた２つ以上の比較対象の医用画像データとして、時間範囲に含まれる医用画像データのうち最初の医用画像データと最後の医用画像データとを抽出する場合について説明する。例えば、まず、抽出機能１３４は、ＤＩＣＯＭのタグ「(0008,0022)  Acquisition  Date」及び「(0008,0032)  Acquisition  Time」を参照することで各医用画像データの収集時間を取得し、収集時間と時間範囲とを比較して、時間範囲に含まれる医用画像データを抽出する。
【００５５】
一例を挙げると、超音波画像データＩ１１の収集時間が「2017/06/12  22:16:34」であり、超音波画像データＩ１２の収集時間が「2017/06/13  09:05:34」であり、Ｘ線画像データＩ２１の収集時間が「2017/06/14  15:32:12」であり、超音波画像データＩ１３の収集時間が「2017/06/15  13:07:08」であり、Ｘ線画像データＩ２２の収集時間が「2017/06/15  15:27:43」であり、超音波画像データＩ１４の収集時間が「2017/06/17  09:27:43」であり、時間範囲が「2017/6/12    22:15:33」から「2017/6/16    06:24:15」までの間である場合、時間範囲に含まれる医用画像データは、図５に示すように、超音波画像データＩ１１、超音波画像データＩ１２、Ｘ線画像データＩ２１、超音波画像データＩ１３及びＸ線画像データＩ２２となる。ここで、抽出機能１３４は、時間範囲に応じた２つ以上の比較対象の医用画像データとして、時間範囲に含まれる医用画像データのうち最初の医用画像データである超音波画像データＩ１１と、最後の医用画像データであるＸ線画像データＩ２２とを抽出する。
【００５６】
そして、表示制御機能１３２は、図６の領域Ｒ１０に示すように、抽出機能１３４が抽出した超音波画像データＩ１１及びＸ線画像データＩ２２を表示する。なお、図６は、第１の実施形態に係る医用画像データの表示について説明するための図である。表示制御機能１３２は、ディスプレイ６２０において、処方記録の時系列表示と併せて図６の表示を行なってもよいし、処方記録の時系列表示に代えて図６の表示を行なってもよい。また、医用情報処理システム１が複数のディスプレイを含む場合、表示制御機能１３２は、処方記録の時系列表示と図６の表示とを別のディスプレイにおいて行なってもよい。
【００５７】
ここで、表示制御機能１３２は、図６の領域Ｒ２０に示すように、患者Ｐ１の医用画像データをサムネイル表示してもよい。例えば、表示制御機能１３２は、患者Ｐ１の医用画像データとして抽出された８枚の医用画像データ（ＣＴ画像データＩ３１、ＣＴ画像データＩ３２、超音波画像データＩ１１、超音波画像データＩ１２、Ｘ線画像データＩ２１、超音波画像データＩ１３、Ｘ線画像データＩ２２及び超音波画像データＩ１４）をサムネイル表示する。
【００５８】
この場合、表示制御機能１３２は、８枚の医用画像データを領域Ｒ２０に同時に表示するのでなく、スクロールで表示するようにしてもよい。例えば、表示制御機能１３２は、図６に示すように、８枚の医用画像データのうち、ＣＴ画像データＩ３２、超音波画像データＩ１１、超音波画像データＩ１２、Ｘ線画像データＩ２１、超音波画像データＩ１３及びＸ線画像データＩ２２の６枚の医用画像データを領域Ｒ２０においてサムネイル表示する。そして、表示制御機能１３２は、操作者が入力回路６１０を介して行うマウスのホイール操作やタッチパネルのスワイプ操作等に応じて、サムネイル表示する画像をスクロールさせる。
【００５９】
更に、表示制御機能１３２は、図６の領域Ｒ３０に示すように、サムネイル表示した医用画像データの各々に対応する時間を示したバーを表示することとしてもよい。図６の領域Ｒ３０に示すバーは、下方向を正方向とする時間軸Ｔ上に、各医用画像データの収集時間を表示したものである。
【００６０】
具体的には、表示制御機能１３２は、まず、サムネイル表示した医用画像データの収集時間のうち最も過去の収集時間及び最近の収集時間に基づいてタイムスケールを調整する。そして、表示制御機能１３２は、図６の領域Ｒ３０に示すように、タイムスケールを調整した時間軸Ｔの上に、ＣＴ画像データＩ３１の収集時間Ｕ１１、ＣＴ画像データＩ３２の収集時間Ｕ１２、超音波画像データＩ１１の収集時間Ｕ１３、超音波画像データＩ１２の収集時間Ｕ１４、Ｘ線画像データＩ２１の収集時間Ｕ１５、超音波画像データＩ１３の収集時間Ｕ１６、Ｘ線画像データＩ２２の収集時間Ｕ１７及び超音波画像データＩ１４の収集時間Ｕ１８を対応付けて表示する。
【００６１】
ここで、表示制御機能１３２は、図６に示すように、領域Ｒ３０のバーにおいて、時間範囲を表示することとしてもよい。時間範囲を表示することにより、操作者は、領域Ｒ１０において表示されている医用画像データが、どの時期に収集されたものであるのかを容易に判断することができる。例えば、図６の場合、操作者は、領域Ｒ１０の超音波画像データＩ１１が、患者Ｐ１の治療が開始されて間もない収集時間Ｕ１３に収集されたものであり、Ｘ線画像データＩ２２が、患者Ｐ１の治療後期の収集時間Ｕ１７に収集されたものであることを直感的に理解することができる。
【００６２】
なお、図６においては、領域Ｒ３０のバーにおいて時間範囲を表示する場合について説明したが、実施形態はこれに限定されるものではない。例えば、表示制御機能１３２は、時間範囲を、数値や文字によって表示してもよい。一例を挙げると、表示制御機能１３２は、図４Ｄに示したように、時間範囲を、開始時間及び終了時間を示した表により表示してもよい。
【００６３】
図５及び図６においては、時間範囲に応じた医用画像データとして、時間範囲に含まれる医用画像データのうち最初の医用画像データと最後の医用画像データを抽出する場合について説明した。ここで、抽出機能１３４は、医用画像データの種類を考慮して、時間範囲に応じた医用画像データを抽出することとしてもよい。
【００６４】
例えば、抽出機能１３４は、まず、抽出する医用画像データの種類を選択する選択操作を操作者から受け付ける。ここで、医用画像データの種類とは、例えば、モダリティの種類（超音波診断装置、Ｘ線診断装置、Ｘ線ＣＴ装置、ＭＲＩ（Magnetic  Resonance  Imaging）装置、ＳＰＥＣＴ（Single  Photon  Emission  Computed  Tomography）装置、ＰＥＴ（Positron  Emission  computed  Tomography）装置など）である。なお、選択操作によって選択される医用画像データの種類は複数であってもよい。
【００６５】
一例を挙げると、抽出機能１３４は、医用画像データの種類として、「超音波診断装置」及び「Ｘ線診断装置」を選択する選択操作を受け付ける。また、抽出機能１３４は、図７に示すように、患者Ｐ１の医用画像データの中から、選択された種類の医用画像データであって、時間範囲に含まれる医用画像データを抽出する。即ち、抽出機能１３４は、「超音波診断装置」及び「Ｘ線診断装置」に対応する医用画像データであって、時間範囲に含まれる超音波画像データＩ１１、超音波画像データＩ１２、Ｘ線画像データＩ２１、超音波画像データＩ１３及びＸ線画像データＩ２２を抽出する。なお、図７は、第１の実施形態に係る医用画像データの抽出について説明するための図である。
【００６６】
ここで、抽出機能１３４は、例えば、時間範囲に応じた医用画像データとして、選択された種類の医用画像データであって時間範囲に含まれる医用画像データのうち、最初の医用画像データと最後の医用画像データとを抽出する。即ち、抽出機能１３４は、「超音波診断装置」及び「Ｘ線診断装置」に対応する医用画像データであって、時間範囲に含まれる医用画像データのうち最初の医用画像データである超音波画像データＩ１１と、最後の医用画像データであるＸ線画像データＩ２２とを抽出する。
【００６７】
また、例えば、抽出機能１３４は、時間範囲に応じた医用画像データとして、選択された種類の医用画像データであって時間範囲に含まれる医用画像データの中から、医用画像データの種類ごとに、最初の医用画像データと最後の医用画像データとを抽出する。即ち、抽出機能１３４は、「超音波診断装置」に対応する医用画像データであって時間範囲に含まれる医用画像データの中から、最初の医用画像データである超音波画像データＩ１１と、最後の医用画像データである超音波画像データＩ１３とを抽出する。更に、抽出機能１３４は、「Ｘ線診断装置」に対応する医用画像データであって時間範囲に含まれる医用画像データのうち最初の医用画像データであるＸ線画像データＩ２１と、最後の医用画像データであるＸ線画像データＩ２２とを抽出する。
【００６８】
この場合、表示制御機能１３２は、図８の領域Ｒ１１に示すように、抽出機能１３４が抽出した超音波画像データＩ１１及び超音波画像データＩ１３を表示する。更に、表示制御機能１３２は、図８の領域Ｒ１２に示すように、抽出機能１３４が抽出したＸ線画像データＩ２１及びＸ線画像データＩ２２を表示する。なお、図８は、第１の実施形態に係る医用画像データの表示について説明するための図である。
【００６９】
ここで、表示制御機能１３２は、図８の領域Ｒ２０に示すように、患者Ｐ１の医用画像データをサムネイル表示してもよい。また、表示制御機能１３２は、図８の領域Ｒ３０に示すように、サムネイル表示した医用画像データの各々に対応する時間を示したバーを表示してもよい。また、表示制御機能１３２は、図８に示すように、領域Ｒ３０のバーにおいて、時間範囲を表示することとしてもよい。
【００７０】
なお、医用画像データの種類を、モダリティにより分類されるものとして説明したが、実施形態はこれに限定されるものではない。例えば、同種のモダリティにより収集された医用画像データであっても、収集のモードが異なる場合には、別の種類の医用画像データであることとしてもよい。一例を挙げると、いずれも超音波診断装置によって収集されるＢモード画像データとドプラ画像データとは、別の種類の医用画像データであることとしてもよい。
【００７１】
次に、医用情報処理システム１による処理の手順の一例を、図９を用いて説明する。図９は、第１の実施形態に係る医用情報処理システム１の処理の一連の流れを説明するためのフローチャートである。ステップＳ１０１、ステップＳ１０３及びステップＳ１０５は、表示制御機能１３２に対応するステップである。また、ステップＳ１０２及びステップＳ１０６は、取得機能１３３に対応するステップである。また、ステップＳ１０４は、抽出機能１３４に対応するステップである。
【００７２】
まず、処理回路１３０は、電子カルテ保管装置４００において時間と対応付けて記憶された処方記録を読み出し、処方記録をディスプレイ６２０において時系列表示する（ステップＳ１０１）。次に、処理回路１３０は、時系列表示された処方記録に対する操作を受け付けて、受け付けた操作に対応する時間範囲を取得し（ステップＳ１０２）、取得した時間範囲を表示する（ステップＳ１０３）。
【００７３】
次に、処理回路１３０は、取得した時間範囲に応じた医用画像データをＰＡＣＳサーバ３００から抽出し（ステップＳ１０４）、抽出した医用画像データをディスプレイ６２０において表示する（ステップＳ１０５）。ここで、処理回路１３０は、時間範囲の変更操作を検知したか否かを判定する（ステップＳ１０６）。時間範囲の変更操作を検知した場合、処理回路１３０は、再度ステップＳ１０３に移行する（ステップＳ１０６肯定）。一方で、時間範囲の変更操作を検知しなかった場合（ステップＳ１０６否定）、処理回路１３０は、処理を終了する。
【００７４】
なお、ステップＳ１０３と、ステップＳ１０４及びステップＳ１０５との順番は任意である。例えば、処理回路１３０は、時間範囲に応じた医用画像データを抽出し、抽出した医用画像データを表示した後に、時間範囲を表示してもよい。また、例えば、処理回路１３０は、時間範囲に応じた医用画像データを抽出し、時間範囲を表示した後に、抽出した医用画像データを表示してもよい。なお、処理回路１３０は、ステップＳ１０３を行わないこととしてもよい。
【００７５】
上述したように、第１の実施形態によれば、ＰＡＣＳサーバ３００、電子カルテ保管装置４００及び検体検査サーバ５００は、医用画像データと、処方記録とを時間に対応付けて記憶する。取得機能１３３は、時系列表示された処方記録に対する操作を受け付けて、受け付けた操作に対応する時間範囲を取得する。抽出機能１３４は、時間範囲に応じた医用画像データをＰＡＣＳサーバ３００から抽出する。表示制御機能１３２は、抽出機能１３４が抽出した医用画像データを表示する。
【００７６】
これにより、例えば、時系列表示された処方記録を参照した操作者は、投薬期間の指定をするだけで、投薬開始時の医用画像データと、投薬終了時又は現在の医用画像データとを参照することができる。即ち、第１の実施形態に係る医用情報処理システム１は、処方記録を医用画像データと比較することを容易にし、更には薬の種類や投与量の調整を容易にすることができる。
【００７７】
なお、これまで、処方記録の時系列表示として、図２Ｄの一例のみを示したが、実施形態はこれに限定されるものではない。ここで、処方記録の時系列表示の別の例について、図１０を用いて説明する。図１０は、第１の実施形態に係る処方記録の時系列表示の一例を示す図である。
【００７８】
例えば、表示制御機能１３２は、まず、入力回路６１０を介して、操作者から、患者を選択する選択操作を受け付ける。以下では、患者として患者Ｐ４が選択された場合を例として説明する。次に、表示制御機能１３２は、患者Ｐ４に対して投薬された各薬剤の投与量を時系列表示する。具体的には、表示制御機能１３２は、図１０に示すように、強心剤である薬剤Ｍ１１及び薬剤Ｍ１２と、利尿剤である薬剤Ｍ２１、薬剤Ｍ２２、薬剤Ｍ２３、薬剤Ｍ２４及び薬剤Ｍ２５と、β遮断薬である薬剤Ｍ３１と、ＰＤＥ５阻害薬である薬剤Ｍ４１と、抗凝血剤である薬剤Ｍ５１及び薬剤Ｍ５２とについて、患者Ｐ４への投与量を時系列表示する。
【００７９】
より具体的には、表示制御機能１３２は、図１０において、丸の図形及び図形間を繋ぐ直線により、薬剤の投与開始日及び投与終了日を示す。例えば、表示制御機能１３２は、図１０において、患者Ｐ４に対して、「2017/04/19」から「2017/05/10」までの各日において薬剤Ｍ１１を投与し、「2017/04/27」から「2017/05/14」までの各日において薬剤Ｍ１２を投与したことを示す。
【００８０】
更に、表示制御機能１３２は、図１０において、三角形の図形及び逆三角形の図形により、薬剤の投与量の変遷を示す。例えば、表示制御機能１３２は、図１０において、「2017/04/19」に薬剤Ｍ１１を基本の投与量「15mg」投与した後、「2017/04/20」に単位量「5mg」だけ投与量を増加させて、「2017/04/20」から「2017/05/02」まで「20mg」投与したことを示す。また、表示制御機能１３２は、図１０において、「2017/05/03」に単位量「5mg」だけ投与量を減少させて、「2017/05/03」に「15mg」投与したことを示す。また、表示制御機能１３２は、図１０において、「2017/05/04」に単位量「5mg」だけ投与量を減少させて、「2017/05/04」から「2017/05/06」まで「10mg」投与したことを示す。また、表示制御機能１３２は、図１０において、「2017/05/07」に単位量「5mg」だけ投与量を減少させて、「2017/05/07」から「2017/05/10」まで「5mg」投与し、「2017/05/10」において薬剤Ｍ１１の投与を終了したことを示す。
【００８１】
図１０に示したように表示制御機能１３２が処方記録を時系列表示した後、取得機能１３３は、時系列表示された処方記録に対する操作を受け付けて、時間範囲を取得する。例えば、取得機能１３３は、図１０における２点を指定する操作を操作者から受け付けることにより、時間範囲として、開始時間Ｔ１２及び終了時間Ｔ２２を取得する。そして、抽出機能１３４は、時間範囲に応じた医用画像データをＰＡＣＳサーバ３００から抽出し、表示制御機能１３２は、抽出された医用画像データを表示する。
【００８２】
また、これまで、第１の時間及び第２の時間を決定する決定操作により、時間範囲を取得する場合について説明したが実施形態はこれに限定されるものではない。例えば、取得機能１３３は、第１の時間を決定する決定操作を受け付けて、第１の時間から、逐一変更される第２の時間までの時間を、時間範囲として逐一取得する場合であってもよい。以下この点について図１１を用いて説明する。図１１は、第１の実施形態に係る時間範囲の取得について説明するための図である。
【００８３】
まず、操作者は、入力回路６１０におけるマウスを操作して、時系列表示された処方記録における任意の位置においてドラッグを開始し、アイコンを移動させる。ここで、取得機能１３３は、ドラッグ開始位置のＸ座標と、操作内容「ドラッグ開始」とを取得する。また、取得機能１３３は、マウス移動位置（アイコンの現在位置）のＸ座標を逐一取得する。
【００８４】
次に、取得機能１３３は、図２Ｂの座標―時間変換テーブルに基づいて、取得したＸ座標を時間に変換する。また、取得機能１３３は、図１１に示す対応関係に基づいて、操作内容を表示意味に変換する。ここで、図１１は、操作内容と表示意味との対応関係を定めた操作内容―表示意味変換テーブルである。具体的には、図１１に示す操作内容―表示意味変換テーブルは、ドラッグ開始位置＜マウス移動位置の場合（ドラッグ開始位置のＸ座標が、アイコンの現在位置のＸ座標よりも小さい場合）、操作内容「ドラッグ開始」は表示意味「開始時間」に対応し、操作内容「マウス移動」は表示意味「終了時間」に対応することを定めるものである。また、図１１に示す操作内容―表示意味変換テーブルは、ドラッグ開始位置＞マウス移動位置の場合（ドラッグ開始位置のＸ座標が、アイコンの現在位置のＸ座標よりも大きい場合）、操作内容「ドラッグ開始」は表示意味「終了時間」に対応し、操作内容「マウス移動」は表示意味「開始時間」に対応することを定めるものである。そして、取得機能１３３は、操作内容―表示意味変換テーブルに従って、操作内容を表示意味に変換することにより、開始時間と終了時間とをそれぞれ取得して、時間範囲を取得する。
【００８５】
なお、この場合、ドラッグ開始位置のＸ座標を変換した時間を第１の時間と記載し、マウス移動位置のＸ座標を変換した時間を第２の時間と記載する。即ち、ドラッグ開始位置＜マウス移動位置の場合、開始時間を第１の時間と記載し、終了時間を第２の時間と記載する。また、ドラッグ開始位置＞マウス移動位置の場合、終了時間を第１の時間と記載し、開始時間を第２の時間と記載する。
【００８６】
上述したように、取得機能１３３は、ドラッグが開始されることにより、第１の時間を決定する決定操作を受け付ける。また、取得機能１３３は、第１の時間から、マウス操作に応じて逐一変更される第２の時間までの時間を、時間範囲として逐一取得する。ここで、抽出機能１３４は、取得機能１３３が時間範囲を新たに取得するごとに、新たな時間範囲に応じた医用画像データを抽出する。そして、表示制御機能１３２は、抽出機能１３４が医用画像データを抽出するごとに、新たに抽出された医用画像データをディスプレイ６２０において表示する。これにより、時系列表示された処方記録を参照した操作者による操作と連動した医用画像データが、ディスプレイ６２０に動的に表示される。
【００８７】
（第２の実施形態）
上述した第１の実施形態では、時系列表示された非画像データに対する操作を受け付けて、受け付けた操作に対応する時間範囲を取得する場合について説明した。これに対して、第２の実施形態では、時系列表示された画像データに対する操作を受け付けて、受け付けた操作に対応する時間範囲を取得する場合について説明する。
【００８８】
第２の実施形態に係る医用情報処理システム１は、図１に示した医用情報処理システム１と同様の構成を有し、表示制御機能１３２及び取得機能１３３による処理の一部が相違する。そこで、第１の実施形態において説明した構成と同様の構成を有する点については、図１と同一の符号を付し、説明を省略する。
【００８９】
まず、表示制御機能１３２は、医用画像データを時系列表示する。例えば、表示制御機能１３２は、まず、入力回路６１０を介して、操作者から、患者を選択する選択操作を受け付ける。次に、表示制御機能１３２は、選択された患者（以下、患者Ｐ１とする）の医用画像データを抽出する。例えば、表示制御機能１３２は、ＰＡＣＳサーバ３００が記憶する各医用画像データにおけるＤＩＣＯＭのタグ「(0010,0020)  Patient  ID」を参照することで、患者Ｐ１の医用画像データとして、ＣＴ画像データＩ３１、ＣＴ画像データＩ３２、超音波画像データＩ１１、超音波画像データＩ１２、Ｘ線画像データＩ２１、超音波画像データＩ１３、Ｘ線画像データＩ２２及び超音波画像データＩ１４を抽出する。
【００９０】
そして、表示制御機能１３２は、患者Ｐ１の医用画像データを時系列表示する。例えば、表示制御機能１３２は、図１２の領域Ｒ２０に示すように、患者Ｐ１の医用画像データを時系列表示する。なお、図１２は、第２の実施形態に係る医用画像データの時系列表示について説明するための図である。
【００９１】
具体的には、表示制御機能１３２は、図１２の領域Ｒ２０において、患者Ｐ１の医用画像データとして抽出した８枚の医用画像データ（ＣＴ画像データＩ３１、ＣＴ画像データＩ３２、超音波画像データＩ１１、超音波画像データＩ１２、Ｘ線画像データＩ２１、超音波画像データＩ１３、Ｘ線画像データＩ２２及び超音波画像データＩ１４）をサムネイル表示する。ここで、表示制御機能１３２は、８枚の医用画像データを領域Ｒ２０に同時に表示するのでなく、スクロールで表示するようにしてもよい。
【００９２】
また、表示制御機能１３２は、図１２の領域Ｒ３０に示すように、サムネイル表示した医用画像データの各々に対応する時間を示したバーを表示する。図１２の領域Ｒ３０に示すバーは、下方向を正方向とする時間軸Ｔの上に、各医用画像データの収集時間を表示したものである。具体的には、図１２の領域Ｒ３０に示すバーは、時間軸Ｔの上に、ＣＴ画像データＩ３１の収集時間Ｕ１１、ＣＴ画像データＩ３２の収集時間Ｕ１２、超音波画像データＩ１１の収集時間Ｕ１３、超音波画像データＩ１２の収集時間Ｕ１４、Ｘ線画像データＩ２１の収集時間Ｕ１５、超音波画像データＩ１３の収集時間Ｕ１６、Ｘ線画像データＩ２２の収集時間Ｕ１７及び超音波画像データＩ１４の収集時間Ｕ１８を対応付けて表示したものである。
【００９３】
ここで、取得機能１３３は、例えば、領域Ｒ２０において、第１の画像データ及び第２の画像データを選択する選択操作を受け付ける。一例を挙げると、取得機能１３３は、入力回路６１０におけるマウス操作により、操作者から、超音波画像データＩ１１及び超音波画像データＩ１３を選択する選択操作を受け付ける。また、取得機能１３３は、選択された超音波画像データＩ１１及び超音波画像データＩ１３に対応する時間を取得する。例えば、抽出機能１３４は、ＤＩＣＯＭのタグ「(0008,0022)  Acquisition  Date」及び「(0008,0032)  Acquisition  Time」を参照することで、超音波画像データＩ１１に対応する時間として収集時間「2017/06/12  22:16:34」を取得し、超音波画像データＩ１３に対応する時間として収集時間「2017/06/15  13:07:08」を取得する。
【００９４】
なお、表示制御機能１３２は、領域Ｒ２０のサムネイル表示の中から選択された第１の画像データ及び第２の画像データを、拡大表示することとしてもよい。例えば、表示制御機能１３２は、図１２の領域Ｒ１０において、選択された超音波画像データＩ１１及び超音波画像データＩ１３を表示する。更に、表示制御機能１３２は、図１２の領域Ｒ１０に示すように、第１の画像データ及び第２の画像データの収集時間や種類を表示することとしてもよい。また、取得機能１３３は、領域Ｒ１０における第１の画像データ及び第２の画像データを参照した操作者から、第１の画像データ及び第２の画像データの変更を受け付ける場合であってもよい。
【００９５】
次に、取得機能１３３は、第１の画像データ及び第２の画像データに基づいて、時間範囲を取得する。例えば、取得機能１３３は、まず、第１の画像データに対応する時間及び第２の画像データに対応する時間について、それぞれの表示意味を取得する。一例を挙げると、超音波画像データＩ１１の収集時間が「2017/06/12  22:16:34」であり、超音波画像データＩ１３の収集時間が「2017/06/15  13:07:08」である場合、取得機能１３３は、図１３Ａに示すように、過去の時間である「2017/06/12  22:16:34」の表示意味として「開始時間」を取得し、後の時間である「2017/06/15  13:07:08」の表示意味として「終了時間」を取得する。なお、この場合、過去に収集された超音波画像データＩ１１を第１の画像データと記載し、後に収集された超音波画像データＩ１３を第２の画像データと記載する。また、図１３Ａは、第２の実施形態に係る時間範囲の取得について説明するための図である。
【００９６】
また、取得機能１３３は、第１の画像データに対応する時間及び第２の画像データに対応する時間を、それぞれ、Ｘ座標に変換する。例えば、取得機能１３３は、図２Ｂの座標―時間変換テーブルに基づいて、超音波画像データＩ１１の収集時間「2017/06/12  22:16:34」をＸ座標（1.878）に変換し、超音波画像データＩ１３の収集時間「2017/06/15  13:07:08」をＸ座標（4.683）に変換する。これにより、取得機能１３３は、図１３Ｂに示すように、Ｘ座標と表示意味との対応関係を取得する。なお、図１３Ｂは、第２の実施形態に係る時間範囲の表示について説明するための図である。
【００９７】
そして、表示制御機能１３２は、処方記録と時間範囲とを対応付けて時系列表示する。
例えば、表示制御機能１３２は、まず、選択された患者Ｐ１に対する、選択された薬剤Ｍ１４の投与量を時系列表示する。一例を挙げると、表示制御機能１３２は、患者Ｐ１に対して薬剤Ｍ１４が投薬された時間及びその投与量を、図２Ｂに示したＸ座標及び図２Ｃに示したＹ座標に従ってプロットすることで、図１４に示すように、棒グラフによる投与量の時系列表示を行なう。また、例えば、表示制御機能１３２は、薬剤Ｍ１１、薬剤Ｍ１２、薬剤Ｍ１３、薬剤Ｍ１５、薬剤Ｍ１６、薬剤Ｍ１７、薬剤Ｍ１８及び薬剤Ｍ１９の患者Ｐ１への投与について、投与した時点をプロットすることにより、投与量の時系列表示を行なう。そして、表示制御機能１３２は、図１４に示すように、投与量の時系列表示と重ねて時間範囲を表示することにより、時系列表示された投与量に対応付けて時間範囲を表示する。なお、図１４は、第２の実施形態に係る時間範囲の表示について説明するための図である。
【００９８】
次に、医用情報処理システム１による処理の手順の一例を、図１５を用いて説明する。図１５は、第２の実施形態に係る医用情報処理システム１の処理の一連の流れを説明するためのフローチャートである。ステップＳ２０１及びステップＳ２０４は、表示制御機能１３２に対応するステップである。また、ステップＳ２０２、ステップＳ２０３及びステップＳ２０５は、取得機能１３３に対応するステップである。
【００９９】
まず、処理回路１３０は、ＰＡＣＳサーバ３００において時間と対応付けて記憶された医用画像データを読み出し、医用画像データをディスプレイ６２０において時系列表示する（ステップＳ２０１）。次に、処理回路１３０は、時系列表示された医用画像データの中から第１の画像データ及び第２の画像データを選択する選択操作を受け付けて（ステップＳ２０２）、受け付けた選択操作に対応する時間範囲を取得する（ステップＳ２０３）。
【０１００】
次に、処理回路１３０は、取得した時間範囲を、処方記録と対応付けて時系列表示する（ステップＳ２０４）。ここで、処理回路１３０は、第１の画像データ及び第２の画像データを選択する選択操作を再度検知したか否かを判定する（ステップＳ２０５）。再度の選択操作を検知した場合、処理回路１３０は、再度ステップＳ２０３に移行する（ステップＳ２０５肯定）。一方で、再度の選択操作を検知しなかった場合（ステップＳ２０５否定）、処理回路１３０は、処理を終了する。
【０１０１】
上述したように、第１の実施形態によれば、ＰＡＣＳサーバ３００、電子カルテ保管装置４００及び検体検査サーバ５００は、医用画像データと、処方記録とを時間に対応付けて記憶する。取得機能１３３は、時系列表示された医用画像データに対する操作を受け付けて、受け付けた操作に対応する時間範囲を取得する。表示制御機能１３２は、処方記録と時間範囲とを対応付けて時系列表示する。
【０１０２】
これにより、例えば、操作者は、医用画像データを選択するだけで、その医用画像データの収集時間の前後においてどのような投薬が行われたのかを確認することができる。即ち、第１の実施形態に係る医用情報処理システム１は、医用画像データを処方記録と比較することを容易にし、更には薬の種類や投薬量の調整を容易にすることができる。
【０１０３】
（第３の実施形態）
上述した第１〜第２の実施形態では、画像データの例として、医用画像データについて説明した。これに対して、第３の実施形態では、画像データのバリエーションについて説明する。第３の実施形態に係る医用情報処理システム１は、図１に示した医用情報処理システム１と同様の構成を有し、表示制御機能１３２及び抽出機能１３４による処理の一部が相違する。そこで、第１の実施形態において説明した構成と同様の構成を有する点については、図１と同一の符号を付し、説明を省略する。
【０１０４】
まず、抽出機能１３４が、時間範囲に応じた画像データとしてレポートを抽出する場合について、図１６を用いて、説明する。図１６は、第３の実施形態に係るレポートの表示について説明するための図である。
【０１０５】
例えば、まず、表示制御機能１３２は、選択された患者（以下、患者Ｐ１とする）の処方記録を時系列表示する。次に、取得機能１３３は、時系列表示された処方記録に対する操作を受け付けて、受け付けた操作に対応する時間範囲を取得する。次に、抽出機能１３４は、作成時間及び患者ＩＤと対応付けてＰＡＣＳサーバ３００において記憶されているレポートの中から、患者Ｐ１のレポートを抽出する。以下では、患者Ｐ１のレポートとして、レポートＩ４１、レポートＩ４２、レポートＩ４３、レポートＩ４４、レポートＩ４５、レポートＩ４６、レポートＩ４７及びレポートＩ４８が抽出された場合について説明する。
【０１０６】
次に、抽出機能１３４は、患者Ｐ１のレポートの中から、時間範囲に応じたレポートを抽出する。例えば、抽出機能１３４は、角レポートの作成時間と時間範囲とを比較することにより、時間範囲に応じたレポートとして、時間範囲に含まれる最初のレポートと、最後のレポートとを抽出する。以下では、時間範囲に含まれる最初のレポートがレポートＩ４３であり、時間範囲に含まれる最後のレポートがレポートＩ４７である場合について説明する。この場合、表示制御機能１３２は、図１６の領域Ｒ１０に示すように、抽出機能１３４が抽出したレポートＩ４３及びレポートＩ４７を表示する。
【０１０７】
ここで、表示制御機能１３２は、図６の領域Ｒ２０に示すように、患者Ｐ１のレポートをサムネイル表示することとしてもよい。例えば、表示制御機能１３２は、患者Ｐ１のレポートとして抽出された８枚のレポート（レポートＩ４１、レポートＩ４２、レポートＩ４３、レポートＩ４４、レポートＩ４５、レポートＩ４６、レポートＩ４７及びレポートＩ４８）をサムネイル表示する。この場合、表示制御機能１３２は、８枚のレポートを領域Ｒ２０に同時に表示するのでなく、スクロールで表示するようにしてもよい。
【０１０８】
更に、表示制御機能１３２は、図１６の領域Ｒ３０に示すように、サムネイル表示したレポートの各々に対応する時間を示したバーを表示することとしてもよい。図１６の領域Ｒ３０に示すバーは、下方向を正方向とする時間軸Ｔの上に、各レポートの作成時間を表示したものである。具体的には、図１６の領域Ｒ３０に示すバーは、時間軸Ｔの上に、レポートＩ４１の収集時間Ｕ２１、レポートＩ４２の収集時間Ｕ２２、レポートＩ４３の収集時間Ｕ２３、レポートＩ４４の収集時間Ｕ２４、レポートＩ４５の収集時間Ｕ２５、レポートＩ４６の収集時間Ｕ２６、レポートＩ４７の収集時間Ｕ２７及びレポートＩ４８の収集時間Ｕ２８を対応付けて表示したものである。ここで、表示制御機能１３２は、図１６に示すように、領域Ｒ３０のバーにおいて、時間範囲を表示することとしてもよい。
【０１０９】
なお、表示制御機能１３２は、ディスプレイ６２０において、処方記録の時系列表示と併せて図１６の表示を行なってもよいし、処方記録の時系列表示に代えて図１６の表示を行なってもよい。また、医用情報処理システム１が複数のディスプレイを含む場合、処方記録の時系列表示と図１６の表示とを別のディスプレイにおいて行なってもよい。
【０１１０】
これまで、時間範囲に応じたレポートとして、時間範囲に含まれるレポートのうち最初のレポートと最後のレポートとを抽出する場合について説明したが、抽出機能１３４は、レポートの種類を考慮して、時間範囲に応じたレポートを抽出することとしてもよい。
【０１１１】
例えば、抽出機能１３４は、まず、抽出するレポートの種類を選択する選択操作を操作者から受け付ける。ここで、レポートの種類とは、例えば、読影レポート、看護レポート、検体レポート、細菌レポート、生理レポート等である。なお、ここで選択されるレポートの種類は複数であってもよい。そして、抽出機能１３４は、時間範囲に応じた医用画像データとして、選択された種類のレポートであって、時間範囲に含まれるレポートのうち、最初のレポートと最後のレポートとを抽出する。また、例えば、抽出機能１３４は、時間範囲に応じた医用画像データとして、選択された種類のレポートであって時間範囲に含まれる医用画像データの中から、レポートの種類ごとに、最初のレポートと最後のレポートとを抽出する。そして、表示制御機能１３２は、抽出機能１３４が抽出したレポートをディスプレイ６２０において表示する。
【０１１２】
また、これまで、時間範囲に応じた画像データとして、レポート及び医用画像データの一方を抽出する場合について説明したが、抽出機能１３４は、レポート及び医用画像データの双方を抽出する場合であってもよい。例えば、抽出機能１３４は、まず、抽出する画像データの種類を選択する選択操作を操作者から受け付ける。ここで、画像データの種類は、「レポート」や「医用画像データ」のような総括的な分類であっても良いし、レポートの種類（例えば、読影レポート、看護レポート、検体レポート、細菌レポート、生理レポートなど）及び医用画像データの種類（例えば、Ｘ線診断装置、Ｘ線ＣＴ装置、ＭＲＩ装置、超音波診断装置、ＳＰＥＣＴ装置、ＰＥＴ装置など）であってもよい。また、ここで選択される画像データの種類は複数であってもよい。
【０１１３】
そして、抽出機能１３４は、時間範囲に応じた画像データとして、選択された種類の画像データであって、時間範囲に含まれる画像データのうち、最初の画像データと最後の画像データとを抽出する。また、例えば、抽出機能１３４は、時間範囲に応じた画像データとして、選択された種類の画像データであって時間範囲に含まれる画像データの中から、画像データの種類ごとに、最初の画像データと最後の画像データとを抽出する。一例を挙げると、抽出機能１３４は、時間範囲に含まれる医用画像データの中から最初の医用画像データと最後の医用画像データとを抽出し、時間範囲に含まれるレポートの中から最初のレポートと最後のレポートとを抽出する。そして、表示制御機能１３２は、抽出機能１３４が抽出した医用画像データ及びレポートをディスプレイ６２０において表示する。
【０１１４】
なお、表示制御機能１３２は、ディスプレイ６２０において、処方記録の時系列表示、抽出機能１３４が抽出した医用画像データの表示及び抽出機能１３４が抽出したレポートの表示を同時に行なってもよいし、切り替え表示を行なってもよい。また、医用情報処理システム１が複数のディスプレイを含む場合、表示制御機能１３２は、処方記録の時系列表示、抽出機能１３４が抽出した医用画像データの表示及び抽出機能１３４が抽出したレポートの表示を、それぞれ別のディスプレイにおいて行なってもよい。
【０１１５】
（第４の実施形態）
さて、これまで第１〜第３の実施形態について説明したが、上述した実施形態以外にも、種々の異なる形態にて実施されてよいものである。
【０１１６】
上述した実施形態では、非画像データの例として、処方記録について説明した。しかしながら、実施形態はこれに限定されるものではない。例えば、表示制御機能１３２は、非画像データとして、バイタルデータや検体検査データ、画像の計測データ等の数値データを、処方記録の時系列表示（例えば、図２Ｄの棒グラフや、図１０の図形など）と同様に、時系列表示することができる。また、例えば、表示制御機能１３２は、非画像データとして、検査レポートや看護記録等のテキストデータを、時間軸上に並べて表示することにより、時系列表示することができる。
【０１１７】
また、上述した実施形態では、記憶部の一例として、ＰＡＣＳサーバ３００、電子カルテ保管装置４００、検体検査サーバ５００について説明したが、記憶回路１２０が記憶部として機能する場合であってもよい。即ち、記憶回路１２０が、医用情報を示す画像データと医用情報を示す非画像データとを、時間に対応付けて記憶する場合であってもよい。
【０１１８】
また、これまで、医用情報処理システム１の構成として図１の一例を示したが、実施形態はこれに限定されるものではない。例えば、医用情報処理システム１における医用情報処理装置１００は、更に、図示しない入力回路及びディスプレイを備える場合であってもよい。この場合、医用情報処理システム１における入力回路及びディスプレイが、入力回路６１０及びディスプレイ６２０と同様の機能を有し、医用情報処理システム１に端末装置６００を含まないこととしてもよい。
【０１１９】
また、上述した実施形態では、いずれかの患者が選択される場合ついて説明したが、複数の患者が選択される場合であってもよい。例えば、抽出機能１３４は、まず、複数の患者として、患者Ｐ１及び患者Ｐ２の選択を受け付ける。次に、表示制御機能１３２は、患者Ｐ１及び患者Ｐ２の少なくとも一方の非画像データを時系列表示する。次に、取得機能１３３は、時系列表示された非画像データに対する操作を受け付けて時間範囲を取得し、抽出機能１３４は、時間範囲に応じた患者Ｐ１の画像データと、時間範囲に応じた患者Ｐ２の画像データとをそれぞれ抽出する。そして、表示制御機能１３２は、抽出された患者Ｐ１の画像データと、患者Ｐ２の画像データとを、ディスプレイ６２０等において表示する。
【０１２０】
また、上述した実施形態では、時系列表示された医用画像データに対する操作を受け付けて、受け付けた操作に対応する時間範囲を取得し、非画像データと時間範囲とを対応付けて時系列表示する場合について説明したが、実施形態はこれに限定されるものではない。例えば、表示制御機能１３２は、まず、ＰＡＣＳサーバ３００に記憶されたレポートを読み出して時系列表示する。次に、取得機能１３３は、時系列表示されたレポートに対する操作を受け付けて、受け付けた操作に対応する時間範囲を取得する。そして、表示制御機能１３２は、非画像データと時間範囲とを対応付けて時系列表示する。
【０１２１】
上述した実施形態では、上述した各処理機能が単一の処理回路１３０によって実現される場合の例を説明したが、実施形態はこれに限られない。例えば、処理回路１３０は、複数の独立したプロセッサを組み合わせて構成され、各プロセッサが各プログラムを実行することにより各処理機能を実現するものとしても構わない。また、処理回路１３０が有する各処理機能は、単一又は複数の処理回路に適宜に分散又は統合されて実現されてもよい。
【０１２２】
また、上記説明において用いた「プロセッサ」という文言は、例えば、ＣＰＵ（Central  Processing  Unit）、ＧＰＵ（Graphics  Processing  Unit）、あるいは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。プロセッサは記憶回路１２０に保存されたプログラムを読み出し実行することで機能を実現する。なお、記憶回路１２０にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。
【０１２３】
ここで、プロセッサによって実行されるプログラムは、ＲＯＭ（Read  Only  Memory）や記憶回路等に予め組み込まれて提供される。なお、このプログラムは、これらの装置にインストール可能な形式又は実行可能な形式のファイルでＣＤ（Compact  Disk）−ＲＯＭ、ＦＤ（Flexible  Disk）、ＣＤ−Ｒ（Recordable）、ＤＶＤ（Digital  Versatile  Disk）等のコンピュータで読み取り可能な記憶媒体に記録されて提供されてもよい。また、このプログラムは、インターネット等のネットワークに接続されたコンピュータ上に格納され、ネットワーク経由でダウンロードされることにより提供又は配布されてもよい。例えば、このプログラムは、上述した各機能を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【０１２４】
上述した実施形態に係る各装置の各構成要素は機能概念的なものであり、必ずしも物理的に図示の如く構成されていることを要しない。即ち、各装置の分散・統合の具体的形態は図示のものに限られず、その全部又は一部を、各種の負荷や使用状況などに応じて、任意の単位で機能的又は物理的に分散・統合して構成することができる。更に、各装置にて行われる各処理機能は、その全部又は任意の一部が、ＣＰＵ及び当該ＣＰＵにて解析実行されるプログラムにて実現され、あるいは、ワイヤードロジックによるハードウェアとして実現されうる。
【０１２５】
また、上述した実施形態で説明した処理方法は、予め用意されたプログラムをパーソナルコンピュータやワークステーション等のコンピュータで実行することによって実現することができる。このプログラムは、インターネット等のネットワークを介して配布することができる。また、このプログラムは、ハードディスク、フレキシブルディスク（ＦＤ）、ＣＤ−ＲＯＭ、ＭＯ、ＤＶＤ等のコンピュータで読み取り可能な記録媒体に記録され、コンピュータによって記録媒体から読み出されることによって実行することもできる。
【０１２６】
以上説明した少なくとも１つの実施形態によれば、画像データと非画像データとの比較を容易にするができる。
【０１２７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２８】
１  医用情報処理システム
１３０  処理回路
１３１  制御機能
１３２  表示制御機能
１３３  取得機能
１３４  抽出機能
３００  ＰＡＣＳサーバ
４００  電子カルテ保管装置
５００  検体検査サーバ
【図１】
2019040367.tif 000003
【図２Ａ】
2019040367.tif 000004
【図２Ｂ】
2019040367.tif 000005
【図２Ｃ】
2019040367.tif 000006
【図２Ｄ】
2019040367.tif 000007
【図３】
2019040367.tif 000008
【図４Ａ】
2019040367.tif 000009
【図４Ｂ】
2019040367.tif 000010
【図４Ｃ】
2019040367.tif 000011
【図４Ｄ】
2019040367.tif 000012
【図５】
2019040367.tif 000013
【図６】
2019040367.tif 000014
【図７】
2019040367.tif 000015
【図８】
2019040367.tif 000016
【図９】
2019040367.tif 000017
【図１０】
2019040367.tif 000018
【図１１】
2019040367.tif 000019
【図１２】
2019040367.tif 000020
【図１３Ａ】
2019040367.tif 000021
【図１３Ｂ】
2019040367.tif 000022
【図１４】
2019040367.tif 000023
【図１５】
2019040367.tif 000024
【図１６】
2019040367.tif 000025